(57)【要約】【課題】本発明は、作業性を良好にした振動吸収用の床構造を提供する。【解決手段】鉄骨梁１と、鉄骨梁１上に載置された波形鋼板２と、波形鋼板２の山部２ｂの上で固定されたＡＬＣパネル４と、を備える床構造において、波形鋼板２の谷部２ａに、波形鋼板２に伝播された振動を吸収する砂袋３が載置されている。このように、鉄骨梁１とＡＬＣパネル４の間に波形鋼板２が介在しており、波形鋼板２の谷部２ａが鉄骨梁１上に載置され、波形鋼板２の山部２ｂの上にＡＬＣパネル４が固定されている。よって、波形鋼板２の山部２ｂと谷部２ａとによって、鉄骨梁１とＡＬＣパネル４の間に空間が形成され、この空間で振動が伝播しにくくなる。【選択図】図１
2014173389.tif 000002
【特許請求の範囲】
【請求項１】
鉄骨梁と、前記鉄骨梁上に載置された波形鋼板と、前記波形鋼板の山部の上で固定されたＡＬＣパネルと、を備える床構造において、
前記波形鋼板の谷部に、前記波形鋼板に伝播された振動を吸収する砂袋が載置されていることを特徴とする床構造。
【請求項２】
前記砂袋には、前記ＡＬＣパネルの端材が入っていることを特徴とする請求項１に記載の床構造。
【発明の詳細な説明】
【技術分野】
【０００１】
本発明は、鉄骨造の建物で用いられる床構造に関する。
【背景技術】
【０００２】
従来、このような分野の技術としては、特開２０１２−１６２９３８号公報がある。この公報には、複数の中空部が長手方向に形成されているセメント系の中空パネルを備えた遮音床パネルが記載されている。この公報に開示された遮音床パネルでは、中空パネルの複数の中空部のそれぞれに、粒状体が袋体に充填されて成る吸振袋体が入り込んでおり、この吸振袋体の形状は略直方体状になっている。また、この遮音床パネルでは、袋体に充填されている粒状体の集合体としての体積を、中空部に装着された状態の袋体の容積の５０〜９５％とすることによって振動を吸収させるための工夫がなされている。
【先行技術文献】
【特許文献】
【０００３】
【特許文献１】特開２０１２−１６２９３８号公報
【発明の概要】
【発明が解決しようとする課題】
【０００４】
しかしながら、上述した遮音床パネルにあっては、袋体に対する粒状体の充填率を変えることで振動を吸収させることは可能であるが、略直方体状の吸振袋体を中空部の数だけ用意しなければならないため手間がかかる。更に、製造した複数の吸振袋体を中空パネルの中空部に対して一つ一つ入れ込まなければならないため、作業性が悪いという問題点があった。
【０００５】
本発明は、作業性を良好にした振動吸収用の床構造を提供することを目的とする。
【課題を解決するための手段】
【０００６】
本発明は、鉄骨梁と、鉄骨梁上に載置された波形鋼板と、波形鋼板の山部の上で固定されたＡＬＣパネルと、を備える床構造において、
波形鋼板の谷部に、波形鋼板に伝播された振動を吸収する砂袋が載置されていることを特徴とする。
【０００７】
上記の床構造は、鉄骨梁とＡＬＣパネルの間に波形鋼板が介在しており、波形鋼板の谷部が鉄骨梁上に載置され、波形鋼板の山部の上にＡＬＣパネルが固定されている。よって、波形鋼板の山部と谷部とによって、鉄骨梁とＡＬＣパネルの間に空間が形成されるので、この空間で振動が伝播しにくくなり、ＡＬＣパネルから鉄骨梁への振動の伝播が抑えられる。更に、波形鋼板の谷部の上には波形鋼板に伝播された振動を吸収する砂袋が載置されるため、この振動を吸収する砂袋によってＡＬＣパネルから鉄骨梁への振動の伝播は一層抑えられる。このような振動の伝播を抑えるための構成は、鉄骨梁上に波形鋼板を載置して波形鋼板の谷部に振動を吸収する砂袋を載置するだけで簡単に実現できるので、作業性が良好になるといった優れた効果を有する。
【０００８】
また、砂袋には、ＡＬＣパネルの端材が入っている。
ＡＬＣパネルは、セメント系のパネルと比べて多孔質であるため軽量性の点で優れている。よって、上記のようにＡＬＣパネルの端材を砂袋に入れることで、砂袋の軽量化を実現させることが可能となり、作業性が一層良好になる。
【発明の効果】
【０００９】
本発明によれば、作業性が良好な振動吸収用の床構造を提供することができる。
【図面の簡単な説明】
【００１０】
【図１】本発明に係る床構造の一実施形態を示す断面斜視図である。
【図２】鉄骨梁上の波形鋼板とＡＬＣパネルを示す断面図である。
【図３】図２のIII−III線断面図である。
【図４】変形例に係る床構造のＡＬＣパネル、波形鋼板及び鉄骨梁を示す断面図である。
【発明を実施するための形態】
【００１１】
以下、図面を参照しつつ本発明に係る床構造の好適な実施形態について詳細に説明する。
【００１２】
図１及び図２に示されるように、鉄骨造の建物の床構造は、Ｈ形鋼である鉄骨梁１と、鉄骨梁１のフランジ部１ａの上面に載置された波形鋼板２と、波形鋼板２の谷部２ａの底面に載置された砂袋３と、波形鋼板２の山部２ｂの上に固定されたＡＬＣ（軽量気泡コンクリート）パネル４とを備えている。なお、図１では、鉄骨梁１を１本しか図示していないが、実際の鉄骨梁１は互いに平行且つ等間隔となるように複数本設けられており、各鉄骨梁１の高さは同一となっている。
【００１３】
波形鋼板２は、鉄骨梁１のフランジ部１ａの上面に複数載置され、各波形鋼板２は、複数の鉄骨梁１の間で架け渡されている。鉄骨梁１のフランジ部１ａの上面に載置された波形鋼板２は鉄骨梁１に対してドリルネジで固定されている。波形鋼板２は、台形状を成す谷部２ａと山部２ｂとを交互に繰り返す波型のデッキプレートであり、各波形鋼板２の谷部２ａの高さと山部２ｂの高さは同一となっている。また、波形鋼板２の谷部２ａと山部２ｂのそれぞれは、水平方向であって且つ鉄骨梁１の延在方向に対して垂直な方向に延在している。このように波形鋼板２が鉄骨梁１の上に設けられることにより剛性が高められた床構造となっている。
【００１４】
砂袋３は、内部に砂状としたＡＬＣパネル４の端材が封入された布袋である。砂袋３は、波形鋼板２に伝達された振動を吸収するために波形鋼板２の谷部２ａの底面に載置されるものである。波形鋼板２の谷部２ａの底面には複数の砂袋３が載置され、図３に示されるように波形鋼板２の谷部２ａの延在方向に沿って一定間隔毎に載置される。なお、波形鋼板２の谷部２ａの底面に載置する砂袋３の間隔、砂袋３の数、砂袋３の材質、砂袋３の形状、砂袋３の大きさ、砂袋３の重さ、砂袋３内のＡＬＣパネル４の端材の粒度、砂袋３内のＡＬＣパネル４の端材の充填率、については適宜変更することができる。
【００１５】
図１に示されるように、矩形状のＡＬＣパネル４は、波形鋼板２の山部２ｂの頂面に複数載置され、各ＡＬＣパネル４は留め付け用のビス５（図２参照）によって波形鋼板２の山部２ｂ上に固定される。また、ＡＬＣパネル４の一方の側面にはＡＬＣパネル４を連結するための嵌合凹部４ａが設けられており、ＡＬＣパネル４の他方の側面にはＡＬＣパネル４を連結するための嵌合凸部４ｂが設けられている。そして、一方のＡＬＣパネル４の嵌合凹部４ａと他方のＡＬＣパネル４の嵌合凸部４ｂとが嵌合することで２枚のＡＬＣパネル４が強固に連結される。なお、図１の右端のＡＬＣパネル４は、床構造の端部のＡＬＣパネル４であるため、一方の側面の嵌合凹部４ａのみを有している。
【００１６】
このように、床構造として複数のＡＬＣパネル４を用いているので、セメント系のパネルを用いた場合と比較して重量を抑えることができる。また、図１及び図２に示されるように、複数のＡＬＣパネル４の境目部分４ｃの位置と、複数の波形鋼板２の境目部分２ｃの位置とが上下で一致しないように、波形鋼板２及びＡＬＣパネル４を配置している。このようにＡＬＣパネル４を波形鋼板２上に配置することで、ＡＬＣパネル４からの振動が波形鋼板２を越えて鉄骨梁１に伝わりにくくなっている。
【００１７】
次に、床構造を施工する作業について説明する。
【００１８】
まず、布製の袋にＡＬＣパネル４の端材を入れ込んで予め振動吸収用の砂袋３を複数作っておく。また、複数の鉄骨梁１を互いに平行になるように配置して、複数の鉄骨梁１を架け渡すように鉄骨梁１のフランジ部１ａの上面に波形鋼板２を載置してドリルネジで波形鋼板２を鉄骨梁１に固定する。そして、波形鋼板２の谷部２ａの底面に複数の砂袋３を載置し、その後、波形鋼板２の山部２ｂ上で複数のＡＬＣパネル４を連結させると共にビス５で各ＡＬＣパネル４を波形鋼板２に固定させていく。このように複数のＡＬＣパネル４を波形鋼板２に固定させた後は、ＡＬＣパネル４上に仕上げ材を敷いて床構造が完成する。
【００１９】
以上のように、上記の床構造では、鉄骨梁１とＡＬＣパネル４の間に波形鋼板２が介在しており、波形鋼板２の谷部２ａが鉄骨梁１の上面に載置され、波形鋼板２の山部２ｂの上にＡＬＣパネル４が固定されている。よって、波形鋼板２の山部２ｂと谷部２ａとによって、鉄骨梁１とＡＬＣパネル４の間に空間が形成されるので、この空間で振動が伝播しにくくなり、ＡＬＣパネル４から鉄骨梁１への振動の伝播が抑えられる。更に、波形鋼板２の谷部２ａの底面には波形鋼板２に伝播された振動を吸収する砂袋３が載置されるため、この振動を吸収する砂袋３によってＡＬＣパネル４から鉄骨梁１への振動の伝播は一層抑えられる。このような振動の伝播を抑えるための構成は、鉄骨梁１の上面に波形鋼板２を載置して波形鋼板２の谷部２ａの底面に振動を吸収する砂袋３を載置するだけで簡単に実現できるので、床構造を施工する際の作業性が良好になる。
【００２０】
また、砂袋３には、軽量性の点で優れたＡＬＣパネル４の端材が入っているので、砂袋３の軽量化が実現されており、床構造を施工する際の作業性が一層良好になる。
【００２１】
本発明は、前述した実施形態に限定されず、本発明の要旨を逸脱しない範囲で種々の変形が可能である。
【００２２】
図４に示されるように、上記実施形態の波形鋼板２に代えて、鉄骨梁１のフランジ部１ａに載置する部分の谷部を切り欠いて平板状の頂部１２ｄのみを残した波形鋼板１２を用いてもよい。図４は、ＡＬＣパネル４と波形鋼板１２の山部１２ｂと鉄骨梁１とを、鉄骨梁１の延在方向に直交する面で切断した断面図である。この波形鋼板１２では、鉄骨梁１のフランジ部１ａの上面に山部１２ｂに連続した頂部１２ｄの下面を当てることで、床構造の高さを抑えることができる。従って、天井高をより広く確保することが可能な床構造とすることができる。
【００２３】
また、上記実施形態では、砂袋３にＡＬＣパネル４の端材が入っていたが、ＡＬＣパネル４の端材以外の砂礫を砂袋３に入れてもよく、更にタイルや瓦の破片を砂袋３に入れてもよい。
【００２４】
また、上記実施形態では、波形鋼板２がドリルネジで鉄骨梁１に固定されたが、波形鋼板２の鉄骨梁１に対する固定方法は上記に限定されず、例えばリベットで固定してもよい。また、ＡＬＣパネル４がビス５で波形鋼板２に固定されたが、ＡＬＣパネル４の波形鋼板２に対する固定方法も上記に限定されない。
【符号の説明】
【００２５】
１…鉄骨梁、２，１２…波形鋼板、２ａ…谷部、２ｂ，１２ｂ…山部、２ｃ…境目部分、３…砂袋、４…ＡＬＣパネル、４ａ…嵌合凹部、４ｂ…嵌合凸部、４ｃ…境目部分、５…ビス、１２ｄ…頂部。
【図１】
2014173389.tif 000003
【図２】
2014173389.tif 000004
【図３】
2014173389.tif 000005
【図４】
2014173389.tif 000006